(57)【要約】【課題】  クラブフェースがティーに衝突しても、クラブヘッドの運動エネルギーを減少させないようにすることができるゴルフボール用ティーを提供する。【解決手段】  静止ティー３または可動ティー４のいずれか一方に磁石９が組み込まれ、磁石９が組み込まれていない可動ティー４または静止ティー３の端部に前記磁石９に吸引される磁性体１２が結合されている。このように磁石９で一本化されたティー１を用いてゴルフボール１６を打つと、クラブフェースがティーに衝突しても、可動ティー４は直ちに静止ティー３から分離し、クラブヘッドの運動エネルギーを減少させないで、ゴルフボールの飛距離が大幅に伸び、飛球方向が安定する。【選択図】  図１
2006015110.tif 000002
【特許請求の範囲】
【請求項１】
静止ティーまたは可動ティーのいずれか一方に磁石が組み込まれ、磁石が組み込まれていない可動ティーまたは静止ティーの端部に前記磁石に吸引される磁性体が結合されていることを特徴とするゴルフボール用ティー。
【請求項２】
前記可動ティーの長さが、複数種類設けられている請求項１記載のゴルフボール用ティー。
【請求項３】
前記静止ティーが、練習用マットに取り付けられているものである請求項１または２記載のゴルフボール用ティー。
【請求項４】
前記静止ティーが、ティーグラウンドに差し込まれるものである請求項１または２記載のゴルフボール用ティー。
【請求項５】
前記静止ティーと可動ティーとが、紐状部材で連結されている請求項１〜４のいずれか１項に記載のゴルフボール用ティー。
【請求項６】
前記紐状部材は、長さの異なる各可動ティーと静止ティーとを連結している請求項５記載のゴルフボール用ティー。
【請求項７】
静止ティーまたは可動ティーのいずれか一方に球形の凸部が形成され、前記凸部に合致する球形の凹部が可動ティーまたは静止ティーに設けられている請求項１，２，４，５，６項のいずれか１項に記載のゴルフボール用ティー。
【発明の詳細な説明】
【技術分野】
【０００１】  本発明は、ゴルフボール用ティーに関するものである。
【背景技術】
【０００２】  ゴルフ練習場で使用されているゴルフボール用ティーやゴルフ場のティーグラウンドに突き刺すゴルフボール用ティーは、特殊な形式のものを除いて一体化された１本の構造体でできている。
【特許文献１】登録実用新案第３０２８７０５号公報
【発明の開示】
【発明が解決しようとする課題】
【０００３】  前記のような１本の構造であると、ゴルフクラブのフェースがティーに衝突することによって、クラブヘッドの運動エネルギーが減少、すなわちヘッドスピードが低下してボールの飛距離が十分に伸びないという問題がある。【０００４】  練習場のマットに組み込まれているティーは、直径１５ｍｍ〜２０ｍｍのゴム製の柱状部材でできているために、クラブフェースが柱状部材に当たるとヘッドスピードが低下する。また、ティーグラウンドに突き刺してあるティーにクラブフェースが当たると、突き刺してあるティーによってクラブヘッドの運動に抵抗が付与されて、やはりヘッドスピードが低下するという問題がある。また、ティーグラウンドでは、折れたティーが散乱していると、ティーショットの際に目障りになったり、ティーグラウンドの壮快感が損なわれるという問題がある。あるいは、クラブフェースがティーに当たると、初心者であれば、フェースの向きが狂ったりして飛球方向が許容範囲を越えて異常な方向に飛ぶ恐れがある。【０００５】  本発明は、上記の問題を解決するために提供されたもので、上述のようにクラブフェースがティーに衝突しても、クラブヘッドの運動エネルギーを減少させないようにすることができるゴルフボール用ティーを提供することを目的とする。
【課題を解決するための手段】
【０００６】  請求項１記載の本発明によるゴルフボール用ティーは、静止ティーまたは可動ティーのいずれか一方に磁石が組み込まれ、磁石が組み込まれていない可動ティーまたは静止ティーの端部に前記磁石に吸引される磁性体が結合されていることを特徴とする。
【発明の効果】
【０００７】  可動ティーに載置されているゴルフボールを打つとき、クラブヘッドのフェースが可動ティーに当たると、そのときの衝撃力で可動ティーは容易に磁石の吸引力に打ち勝って静止ティーから分離する。したがって、クラブヘッドが受ける抵抗がほとんどなくなり、クラブヘッドの速度が低下することなく、ゴルフボールの飛距離が著しく伸びる。また、初心者であっても上述のように、クラブフェースの向きが狂ったりしないので、飛球方向が安定して上達が促進される。【０００８】  請求項２記載の発明は、前記可動ティーの長さが、複数種類設けられているので、プレイヤーの好みに応じてゴルフボールの高さ位置を自由に設定することができる。【０００９】  請求項３記載の発明は、前記静止ティーが、練習用マットに取り付けられているものであるから、従来技術のように直径が１５ｍｍ〜２０ｍｍもあるゴム製ティーを使用する必要がなく、クラブヘッドが受ける抵抗が上記のように著しく低減され、ゴルフボールの飛距離が伸び、飛球方向も安定する。【００１０】  請求項４記載の発明は、前記静止ティーが、ティーグラウンドに差し込まれるものであるから、ゴルフボールが打たれたとき静止ティーはそのままティーグラウンドに刺さったままで、可動ティーだけが磁石の吸引力に抗して静止ティーから分離する。したがって、クラブヘッドが受ける抵抗が上記のように著しく低減され、ゴルフボールの飛距離が伸び、飛球方向も安定する。【００１１】  請求項５記載の発明は、前記静止ティーと可動ティーとが、紐状部材で連結されているから、クラブフェースが可動ティーに当たっても、可動ティーは紐状部材で静止ティーに連結されているので、紛失することがなく、ティーショットが終わると直ぐにティーを拾うことができプレーの進行にとっても好適である。【００１２】  請求項６記載の発明は、前記紐状部材は、長さの異なる各可動ティーと静止ティーとを連結しているものであるから、種々な長さの可動ティーを紛失することなく使用することができる。【００１３】  請求項７記載の発明は、静止ティーまたは可動ティーのいずれか一方に球形の凸部が形成され、前記凸部に合致する球形の凹部が可動ティーまたは静止ティーに設けられているものであるから、静止ティーが傾いた状態でティーグランドに差し込まれても、球形部が磁石により凹部に密着しながらボールジョイントのような機能を果たすので、可動ティーを鉛直方向またはプレーヤーの好む方向に傾けて起立させることができる。【００１４】  なお、実際には、クラブフェースがゴルフボールに先に当たってから可動ティーに当たるのであるが、クラブフェースが可動ティーに当たる時点では、ゴルフボールがクラブフェース面に弾性変形をした状態で粘着しているので、このような過渡期にヘッドスピードが低下することは、ショットの良否に大きく影響するのである。
【発明を実施するための最良の形態】
【００１５】  つぎに、本発明のゴルフボール用ティーの最良の実施形態を説明する。
【実施例１】
【００１６】  図１は、本発明の第１の実施例を示す。【００１７】  この実施例は、ゴルフ練習場のマットに組み込まれているティーの場合である。ティー１全体は、マット２に組み込まれている静止ティー３とその上に接続されている可動ティー４によって構成されている。ゴルフ練習場で実施する場合には、静止ティー３はティー１のベース部材のような機能を果たしている。静止ティー３は、円柱部５とそれと一体の円板部６から構成され、円柱部５はマット２に設けた小径孔７内に所定の空隙をおいて挿入されている。また、円板部６はマット２の裏面側に設けた大径孔８内にはめ込まれて、静止ティー３全体が位置ずれを起こさないようになっている。さらに、円柱部５の高さはマット２の表面とほぼ面一である。【００１８】  円柱部５の中心部に磁石（永久磁石）９がはめ込んであり、その上にカバー板１０が接合されている。円板部６の表面に突起１１が一体に成型され、ここに後述の紐状部材を結合するようになっている。【００１９】  可動ティー４は、円柱部５の上に起立した状態で接合されるもので、鉄のような磁性材料製の吸着片１２が可動ティー４の下端部に固定されている。吸着片１２の固定は、接着等いろいろな方法があるが、ここでは可動ティー４の中心部にねじ込んだボルト１３によって固定が成されている。このボルト１３と一体のフランジが吸着片１２とされている。【００２０】  可動ティー４の側面に突起１４が形成され、この突起１４と前記突起１１とが紐状部材である紐１５で連結されている。紐１５の例としては、ポリアミド樹脂製の糸が用いられ、可動ティー４が著しく遠くに飛ばないように、例えば紐１５の長さを１０ｃｍ程度に設定してある。なお、符号１６は可動ティー４上に載置されたゴルフボールである。【００２１】  図１に示すように、ゴルフボール１６が打ち出される前には、可動ティー４の下端部の吸着片１２が磁石９に吸引されて可動ティー４としての起立状態を維持している。この状態でゴルフボール１６が打たれると、クラブヘッドのクラブフェースが可動ティー４に当たって、可動ティー４はほとんどクラブフェースに対して無抵抗のまま、磁石９の吸引力に抗して吸着片１２が円柱部５から離れる。このときに、紐１５によって遠方に飛んで行くことが防止される。【００２２】  上記第１の実施例の作用効果を列記すると、つぎのとおりである。【００２３】  可動ティー４に載置されているゴルフボール１６を打つとき、クラブヘッドのフェースが可動ティー４に当たると、そのときの衝撃力で可動ティー４は容易に磁石９の吸引力に打ち勝って円柱部５から分離する。したがって、クラブヘッドが受ける抵抗がほとんどなくなり、クラブヘッドの速度が低下することなく、ゴルフボール１６の飛距離が著しく伸びる。また、初心者であっても上述のように、クラブフェースの向きが狂ったりしないので、飛球方向が安定して上達が促進される。【００２４】  静止ティー３が、練習用マット２に取り付けられているものであるから、従来技術のように直径が１５ｍｍ〜２０ｍｍもあるゴム製ティーを使用する必要がなく、クラブヘッドが受ける抵抗が上記のように著しく低減され、ゴルフボール１６の飛距離が伸び、飛球方向も安定する。【００２５】  静止ティー３側の円板部６と可動ティー４とが、紐１５で連結されているから、クラブフェースが可動ティー４に当たっても、可動ティー４は紐１５で静止ティー４に連結されているので、紛失することがなく、ティーショットが終わると直ぐにティーを拾うことができプレーの進行にとっても好適である。
【実施例２】
【００２６】  図２は、本発明の第２の実施例を示す。【００２７】  この実施例は、可動ティー４の長さが最も長いもの４ａ，中間的な長さのもの４ｂ，最も短いもの４ｃの３種類の長さのものが準備されている。そして、各ティーは、紐１５ａ，１５ｂ，１５ｃによって円板部６に連結されている。それ以外の構成は、前記の実施例と同じであり、同様の部分には同じ符号が記載してある。【００２８】  前記構成により、可動ティーの長さが、複数種類設けられているので、プレイヤーの好みに応じてゴルフボールの高さ位置を自由に設定することができる。また、各紐１５ａ，１５ｂ，１５ｃは、長さの異なる各可動ティー４ａ，４ｂ，４ｃと円板部６とを連結しているものであるから、種々な長さの可動ティー４ａ，４ｂ，４ｃを紛失することなく使用することができる。
【実施例３】
【００２９】  図３は、本発明の第３の実施例を示す。【００３０】  この実施例は、吸着片１２が平板状の鉄板で構成されたもので、可動ティー４の下端面に接着されているものである。なお、接着剤の図示はしていない。それ以外の構成は、前記の各実施例と同じであり、同様の部分には同じ符号が記載してある。【００３１】  上記構成により、簡素化された形状の吸着片１２が採用できるので、コストダウンや軽量化にとって有効である。それ以外の効果は、前記の各実施例と同じ効果が得られる。
【実施例４】
【００３２】  図４は、本発明の第４の実施例を示す。【００３３】  この実施例は、鉄製のウエイト板１７に枢軸１８を用いてゴム製のアーム１９が取り付けられたもので、その先端部に磁石９が埋め込まれ、その上に上述のような可動ティー４が吸着されている。それ以外の構成は、前記の各実施例と同じであり、同様の部分には同じ符号が記載してある。【００３４】  上記構成により、アーム１９型の練習器具においても、吸着式の可動ティー４が装着できる。それ以外の効果は、前記の各実施例と同じ効果が得られる。
【実施例５】
【００３５】  図５は、本発明の第５の実施例を示す。【００３６】  この実施例は、ゴルフコースのティーグラウンドで使用できるティー１にかかるものである。静止ティー３がティーグラウンド２０に突き刺され、その上に可動ティー４が接続されている。符号２１は芝生、２２は土である。図５（Ａ）は、吸着片１２が図３（Ａ）と同様な構造である。同図（Ｂ）は、静止ティー３がショートティーの場合であり、２点鎖線図示のようにショートティーの上にゴルフボール１６が載置されている。同図（Ｃ）は、ショートティーに結合された柔軟性のある結合ロッド２３が可動ティー４内に摺動可能な状態で挿入されたものである。すなわち、図（Ｃ）に示すように、可動ティー４は中空のパイプ状の構造とされ、その中に挿入した結合ロッド２３に頭部が一体化されており、可動ティー４が叩かれても結合ロッド２３が撓んで上記頭部がパイプ状構造の下端部に当たって可動ティー４の抜け止めがなされている。なお、この場合には、紐１５をやめてもよい。それ以外の構成は、前記の各実施例と同じであり、同様の部分には同じ符号が記載してある。【００３７】  上記構成により、静止ティー３が、ティーグラウンド２０に差し込まれるものであるから、ゴルフボール１６が打たれたとき静止ティー３はそのままティーグラウンド２０に刺さったままで、可動ティー４だけが磁石９の吸引力に抗して静止ティー３から分離する。したがって、クラブヘッドが受ける抵抗が上記のように著しく低減され、ゴルフボール１６の飛距離が伸び、飛球方向も安定する。それ以外の効果は、前記の各実施例と同じ効果が得られる。
【実施例６】
【００３８】  図６は、本発明の第６の実施例を示す。【００３９】  この実施例は、可動ティー４の下端部に設けられた吸着片が、突出した軸部材２４とされ、この軸部材２４を受け入れる孔２５が静止ティー３に設けられている。それ以外の構成は、前記の各実施例と同じであり、同様の部分には同じ符号が記載してある。【００４０】  上記構成により、軸部材２４を孔２５内に挿入することによって、可動ティー４と静止ティー３（円柱部５）との相対位置が簡単に設定できる。それ以外の効果は、前記の各実施例と同じ効果が得られる。
【実施例７】
【００４１】  図７は、本発明の第７の実施例を示す。【００４２】  この実施例は、磁石９と吸着片１２との取り付け箇所が、先の各実施例とは逆になっているものである。また、このような逆の磁石配置を図５のような形式のものに採用することも可能である。それ以外の構成は、前記の各実施例と同じであり、同様の部分には同じ符号が記載してある。また、効果も前記の各実施例と同じである。
【実施例８】
【００４３】  図８は、本発明の第８の実施例を示す。【００４４】  この実施例は、球形構造を用いることにより、静止ティー３が傾いていても可動ティー４を正規の起立状態にすることができるものである。すなわち、図８（Ａ）に示すものは、合成樹脂製の可動ティー４の下部に球形部３０を可動ティー４と一体的に成型し、その内部に磁石９が埋設されている。また、静止ティー３の上部には球形部３０に合致する球形の凹部３１が設けられ、この凹部３１は磁性体である鉄製の凹部材３２で形成されている。それ以外の構成は、前記の各実施例と同じであり、同様の部分には同じ符号が記載してある。【００４５】  上記構成により、図８（Ｅ）に示すように、静止ティー３が傾いた状態でティーグランド２０に差し込まれても、球形部３０が磁石９により凹部３１に密着しながらボールジョイントのような機能を果たすので、可動ティー４を鉛直方向またはプレーヤーの好む方向に傾けて起立させることができる。それ以外の効果は、前記の各実施例と同じ効果が得られる。【００４６】  図８（Ｂ）に示すものは、磁石９が同図（Ａ）に示したものとは逆の静止ティー３側に埋設され、鉄製の球部材３３が球形部３０と一体になっている。それ以外の構成は、前記の各実施例と同じであり、同様の部分には同じ符号が記載してある。また、効果も前記の各実施例と同じである。【００４７】  図８（Ｃ）に示すものは、可動ティー４の下端部に鋼球３４が接着され、静止ティー３の上部に接着されている受けカップ３５内に鋼球３４がはまり込んでいる。それ以外の構成は、前記の各実施例と同じであり、同様の部分には同じ符号が記載してある。また、効果も前記の各実施例と同じである。【００４８】  図８（Ｄ）に示すものは、先の（Ａ），（Ｂ）および（Ｃ）とは球形の凹凸関係が逆になっているものである。それ以外の構成は、前記の各実施例と同じであり、同様の部分には同じ符号が記載してある。また、効果も前記の各実施例と同じである。
【産業上の利用可能性】
【００４９】  本発明は、クラブフェースが可動ティーに当たっても、可動ティーは直ちに静止ティーから離脱するので、クラブヘッドのスピードは低下することなく、ゴルフボールの飛距離が大幅に伸び、飛球方向が安定する。したがって、幅広いゴルファーに歓迎され大きな需要が期待できる。
【図面の簡単な説明】
【００５０】
【図１】練習マットに適用した場合の縦断側面図である。
【図２】長さの異なる可動ティーを複数にした場合の側面図である。
【図３】練習マットの他の実施例を示す断面図と立体図である。
【図４】他の練習用具に適用した場合の側面図である。
【図５】ティーグラウンドで使用する場合の実施例を示す側面図である。
【図６】他の実施例を示す断面図である。
【図７】さらに他の実施例を示す断面図である。
【図８】さらに他の実施例を示す断面図である。
【符号の説明】
【００５１】  １      ティー
２      マット
３      静止ティー
４      可動ティー
５      円柱部
６      円板部
９      磁石
１２      吸着板
１５      紐
１６      ゴルフボール
３０      球形部
３１      凹部
【図１】
2006015110.tif 000003
【図２】
2006015110.tif 000004
【図３】
2006015110.tif 000005
【図４】
2006015110.tif 000006
【図５】
2006015110.tif 000007
【図６】
2006015110.tif 000008
【図７】
2006015110.tif 000009
【図８】
2006015110.tif 000010